(57)【要約】【課題】排出される排気ガスによる周囲への悪影響を低減するテールパイプ、排気系構造、およびこれを備えた車両を提供する。【解決手段】本開示の実施の形態に係るテールパイプ１００は、内燃機関の排気ガスを外部に排出するテールパイプ１００であって、排気ガスを排出する開口部１０４を有する末端部１０３と、末端部１０３に設けられ、温度によって湾曲度が変化する変形部１０６を有する整流板１０５と、を備える。【選択図】図３
2019167916.tif 000002
【特許請求の範囲】
【請求項１】
内燃機関の排気ガスを外部に排出するテールパイプであって、
前記排気ガスを排出する開口部を有する末端部と、
前記末端部に設けられ、温度によって湾曲度が変化する変形部を有する整流板と、
を備える、テールパイプ。
【請求項２】
前記変形部は、バイメタルである、
請求項１に記載のテールパイプ。
【請求項３】
前記整流板は、前記排気ガスの温度が第１温度である場合、前記排気ガスを、前記末端部内における前記排気ガスの流れ方向を延長した方向以外の方向に向かって排出させ、前記排気ガスの温度が前記第１温度より高い第２温度である場合、前記排気ガスを、前記流れ方向を延長した方向に向かって排出させる、
請求項１または２に記載のテールパイプ。
【請求項４】
前記整流板は、前記排気ガスの温度が前記第１温度である場合、前記排気ガスを下方に向かって排出させる、
請求項３に記載のテールパイプ。
【請求項５】
請求項１から４のいずれか一項に記載のテールパイプを有する、
排気系構造。
【請求項６】
請求項５に記載の排気系構造を有する、
車両。
【発明の詳細な説明】
【技術分野】
【０００１】
本開示は、排気ガスを排出するテールパイプ、排気系構造、およびこれを備えた車両に関する。
【背景技術】
【０００２】
内燃機関で生じた排気ガスは、排気ガス浄化装置やサイレンサ等を通過して浄化や静音化が行われた後、テールパイプから外部に排出される。従来、排気ガスの流量増大や気流音の低減等を目的として、テールパイプの形状を工夫することが行われている。
【０００３】
例えば特許文献１には、排気管の後端に連結された連結部と、連結部から後方に末広がりに延出し、かつ、横断面形状を略楕円形に形成した拡径部とを備えたテールパイプが開示されている。
【先行技術文献】
【特許文献】
【０００４】
【特許文献１】特開２００３−４１９３４号公報
【発明の概要】
【発明が解決しようとする課題】
【０００５】
テールパイプから排出される高温の排気ガスが、周囲に悪影響を及ぼすことがある。このような高温の排気ガスによる周囲への悪影響を低減することが望まれる。
【０００６】
本開示の目的は、排出される排気ガスによる周囲への悪影響を低減するテールパイプ、排気系構造、およびこれを備えた車両を提供することである。
【課題を解決するための手段】
【０００７】
本開示の一態様に係るテールパイプは、内燃機関の排気ガスを外部に排出するテールパイプであって、前記排気ガスを排出する開口部を有する末端部と、前記末端部に設けられ、温度によって湾曲度が変化する変形部を有する整流板と、を備える。
【０００８】
本開示の一態様に係る排気系構造は、上記テールパイプを有する。
【０００９】
本開示の一態様に係る車両は、上記排気系構造を有する。
【発明の効果】
【００１０】
本開示によれば、排出される排気ガスによる周囲への悪影響を低減することができる。
【図面の簡単な説明】
【００１１】
【図１】本開示の実施の形態に係るテールパイプの外形を示す斜視図
【図２】本開示の実施の形態に係るテールパイプについて説明するための投影図
【図３】整流板について説明するための図
【図４】整流板による排気ガスの流れの変化について説明するための図
【発明を実施するための形態】
【００１２】
以下、本開示の各実施の形態について図面を参照して詳細に説明する。ただし、必要以上に詳細な説明、例えば、既によく知られた事項の詳細説明や実質的に同一の構成に対する重複説明等は省略する場合がある。
【００１３】
図１は、本開示の実施の形態に係るテールパイプ１００の外形を示す斜視図である。また、図２Ａから図２Ｃは、本開示の実施の形態に係るテールパイプ１００について説明するための投影図（三面図）である。図１，図２Ａおよび図２Ｃに示すように、テールパイプ１００は、排気管２００の一端に取り付けられている。排気管２００の他端は、内燃機関（図示せず）に接続されている。内燃機関の駆動により生じた排気ガスは、排気管２００を通ってテールパイプ１００から外部に排出される。排気管２００とテールパイプ１００とによって、内燃機関の排気系構造が構成される。
【００１４】
図２Ａは、排気管２００の一端に取り付けられたテールパイプ１００の平面図である。図２Ｂは、テールパイプ１００および排気管２００を後述する開口部１０４側から見た図である。図２Ｃは、排気管２００の一端に取り付けられたテールパイプ１００の側面図である。
【００１５】
図１および図２Ａから図２Ｃに示すように、テールパイプ１００は、テールパイプ本体１０１と、連結部１０２と、末端部１０３と、を有する。連結部１０２は、テールパイプ１００が排気管２００に連結される部位である。本開示では連結の方法については特に限定しないが、テールパイプ１００は連結部１０２において例えば溶接で排気管２００の一端に連結されている。本実施の形態において、図１に示すように、排気管２００の排気ガスの流れ方向に垂直な断面形状はほぼ円形状であるため、テールパイプ１００の連結部１０２付近における排気ガスの流れ方向に垂直な断面形状も排気管２００とほぼ同径の円形状である。
【００１６】
テールパイプ１００の連結部１０２とは反対側の端部である末端部１０３には、開口部１０４が設けられている。開口部１０４は、テールパイプ１００における排気ガスの流れ方向の最下流に設けられた開口であり、テールパイプ１００内の排気ガスは開口部１０４から外部へ排出される。
【００１７】
本実施の形態において、図１および図２Ｂに示すように、テールパイプ１００の開口部１０４の開口形状はほぼ長方形状である。開口部１０４の開口形状は、角が面取りされた長方形状であってもよい。開口部１０４の長軸方向に沿った長さ（幅）Ｗは、図２Ａに示すように、排気管２００の断面円形状の直径Ｄより長い。一方、開口部１０４の短軸方向の沿った長さ（高さ）Ｈは、図２Ｃに示すように、排気管２００の断面円形状の直径Ｄより短い。
【００１８】
開口部１０４の開口形状は、テールパイプ１００内の流路断面積で最も大きくなるように構成されている。具体的には、上記説明した開口部１０４の長方形状の幅Ｗおよび高さＨは、開口部１０４の面積Ｗ×Ｈがテールパイプ１００の流路断面積で最も大きくなるように設定されている。これにより、テールパイプ１００の外部に排出された排気ガスが好適に拡散しやすくなる。
【００１９】
テールパイプ本体１０１は、上記したように排気ガスの流れ方向に対して垂直な断面形状が円形状である連結部１０２と、開口形状が長方形状である開口部１０４と、を接続するように設けられる壁体によって構成される。
【００２０】
図１および図２Ａから図２Ｃに示すように、開口部１０４の長方形状の長軸方向に沿った２辺には、一対の整流板１０５が取り付けられている。一対の整流板１０５は、図２Ｃに示すように、テールパイプ１００を側面視した場合に、先端部が下方を向くように取り付けられている。
【００２１】
図３Ａおよび図３Ｂは、整流板１０５について説明するための図である。図３Ａおよび図３Ｂは、テールパイプ１００の側面図において、整流板１０５を拡大して図示したものである。図３Ａおよび図３Ｂに示すように、整流板１０５は、熱膨張率が異なる２枚の金属板１０７，１０８を貼り合わせてずれないように固定されたバイメタルで構成された変形部１０６を有する。このため、変形部１０６は、温度によって湾曲度が変化する。なお、本実施の形態においては、図３Ａおよび図３Ｂに示すように、整流板１０５の全体が変形部１０６で構成されているが、整流板１０５の一部のみが変形部１０６で構成されていてもよい。
【００２２】
本実施の形態においては、整流板１０５の変形部１０６は、上側の金属板１０７よりも、下側の金属板１０８の方が熱膨張率の高い金属を用いて製造されている。このような構成により、整流板１０５は、排気ガスの温度が比較的低温の第１温度である場合、図３Ａに示すように、側面視において下方に向かって直線状に伸びるような形態をとる。本実施の形態において、図３Ａに示す整流板１０５の形態を第１形態と称する。
【００２３】
また、上側の金属板１０７よりも、下側の金属板１０８の方が熱膨張率が高いため、排気ガスの温度が上昇するにつれて、下側の金属板１０８の方が、上側の金属板１０７よりも長く伸びる。これにより、排気ガスの温度が第１温度より高い第２温度である場合、整流板１０５は、図３Ｂに示すように側面視において上方に向かって折れ曲がる（反り返る）ような形態をとる。本実施の形態において、図３Ｂに示す、側面視において整流板１０５が上方に向かって折れ曲がるような形態を、第２形態と称する。
【００２４】
このように温度によって変形する変形部１０６により、整流板１０５は、排気ガスの温度の上下にともなって、図３Ａに示す、先端部が下方を向いた第１形態と、図３Ｂに示す、先端部が折れ曲がった第２形態と、の間を徐々に遷移する。
【００２５】
このような整流板１０５によって、テールパイプ１００から排出される排気ガスの方向は、排気ガスの温度によって大きく変化する。図４Ａおよび図４Ｂは、整流板１０５による排気ガスの流れの変化について説明するための図である。図４Ａおよび図４Ｂにおいて、矢印は排気ガスの流れる方向を示している。排気ガスの温度が比較的低い第１温度である場合、整流板１０５が下方に向かって直線状に伸びた第１形態であるため、図４Ａの矢印に示すように、テールパイプ１００の内部を流れてきた排気ガスは、２枚の整流板１０５によってテールパイプ１００から下方に向かって排出される。
【００２６】
一般に、排気ガスの温度が比較的低い場合、内燃機関の性質上、排気ガスの流量は比較的少なく、流速は比較的低くなる。このため、排気ガスの温度が低いと、開口部１０４から排出された低速の排気ガスは拡散しにくく、テールパイプ１００の周囲で滞留しやすい。テールパイプ１００を含む排気系構造がトラック等の車両に搭載されている場合、排気系構造は車体の下側に配置されることが多いが、熱は上方向に伝わりやすいため、テールパイプ１００の周囲で滞留した排気ガスの有する熱が車体に伝わる。仮にテールパイプ１００に整流板１０５が設けられていないとすると、排気ガスはテールパイプ１００とほぼ同じ高さに排出されるため、滞留する排気ガスと車体との距離が近く、滞留した排気ガスの有する熱が車体に多く伝わってしまう。このような事態が生じると、車体を構成する部品が排気ガスの熱による悪影響を受けるおそれがあり、好ましくない。
【００２７】
本開示の実施の形態に係るテールパイプ１００では、上記したように、排気ガスの温度が比較的低い第１温度である場合、排気ガスはテールパイプ１００から下方に向かって排出される。このため、例えテールパイプ１００の周囲に排気ガスが滞留したとしても、テールパイプ１００より下方で滞留するため、排気ガスの有する熱はテールパイプ１００の上側に存在する車体に伝わりにくい。このため、排気ガスの熱による車体への悪影響を低減することができる。
【００２８】
一方、排気ガスの温度が上昇して第２温度となった場合、整流板１０５が第２形態をとるため、図４Ｂに示すように、排気ガスは、２枚の整流板１０５によって末端部１０３における排気ガスの流れ方向を延長した方向にほぼ直線状に排出される。
【００２９】
一般に排気ガスの温度が高くなるほど、排気ガスの流量は多く、流速は早くなる。すなわち、整流板１０５が第２形態となる第２温度である場合、排気ガスはテールパイプ１００の開口部１０４から勢いよく排出される。このとき、２枚の整流板１０５は、図４Ｂに示すような第２形態をとっているため、排気ガスはテールパイプ１００の内部の流れ方向を延長した方向にスムーズに排出されるとともに、排出された排気ガスが好適に拡散される。これにより、排気ガスの熱によるテールパイプ１００の周囲への悪影響を最小限に抑えることができる。
【００３０】
＜作用・効果＞
以上説明したように、本開示の実施の形態に係るテールパイプ１００は、内燃機関の排気ガスを外部に排出するテールパイプ１００であって、排気ガスを排出する開口部１０４を有する末端部１０３と、末端部１０３に設けられ、温度によって湾曲度が変化する変形部１０６を有する整流板１０５と、を備える。
【００３１】
このような構成により、排気ガスの温度に合わせて好適な方向に排気ガスを排出することができるので、排気ガスの熱による周囲への悪影響を低減することができる。
【００３２】
また、変形部１０６は、バイメタルである。このため、本開示の実施の形態に係るテールパイプ１００は、バイメタルを用いて形成された板状の部材である変形部１０６を含む整流板１０５を末端部１０３に取り付けるだけで製造することができるので、少工程かつ低コストで製造することができ、好適である。
【００３３】
また、整流板１０５は、排気ガスの温度が第１温度である場合、排気ガスを、テールパイプ１００の側面視において下方に向かって排出させる。そして、整流板１０５は、排気ガスの温度が第１温度より高い第２温度である場合、排気ガスを、開口部１０４から末端部１０３における排気ガスの流れ方向を延長した方向に向かって排出させる。
【００３４】
このような構成により、排気ガスの温度が比較的低い第１温度である場合、排気ガスはテールパイプ１００から下方に向かって排出される。このため、テールパイプ１００の上側に車体が存在する場合、例えテールパイプ１００の周囲に排気ガスが滞留したとしても、排気ガスの熱が車体に伝わりにくく、排気ガスの熱による周囲への悪影響を低減することができる。
【００３５】
また、このような構成により、整流板１０５が第１温度より高い第２温度である場合、２枚の整流板１０５は側面視において上方に折れ曲がった第２形態をとっているため、排気ガスはテールパイプ１００の内部の流れ方向を延長した方向にスムーズに排出されるとともに、排出された排気ガスが好適に拡散される。これにより、排気ガスの熱によるテールパイプ１００の周囲への悪影響を最小限に抑えることができる。
【００３６】
以上、図面を参照しながら各種の実施形態について説明したが、本開示はかかる例に限定されない。当業者であれば、特許請求の範囲に記載された範疇内において、各種の変更例または修正例に想到しうることは明らかであり、それらについても当然に本開示の技術的範囲に属するものと了解される。また、開示の趣旨を逸脱しない範囲において、上記実施の形態における各構成要素は任意に組み合わせてられてもよい。
【００３７】
上記説明した実施の形態では、排気ガスが排出される開口部１０４はほぼ長方形状に形成されていた。しかしながら、本開示はこれに限定されず、例えばテールパイプ１００の開口部１０４の形状は排気管２００の断面形状と同様に、ほぼ円形状に形成されていてもよい。この場合でも、テールパイプ１００の末端部１０３の内周面は、湾曲して広がるように形成されていればよい。また、排気管２００の排気ガスの流れに垂直な断面形状は、例えば楕円形状やほぼ長方形状に形成されていてもよく、その場合テールパイプ１００の開口部１０４の形状も排気管２００と同様の形状に形成され、内周面が湾曲して広がるように形成されていてもよい。さらに、開口部１０４は、ほぼ長方形状以外にも、前記排気ガスの流れ方向から見て扁平な形状、すなわち楕円形状、台形状、三角形状等に形成されていてもよい。
【００３８】
また、開口部１０４の流路断面積は、テールパイプ１００内で最も大きくなるように構成されていたが、本開示はこれに限定されない。本開示では排気ガスを好適に拡散させるため、開口部１０４の流路断面積が最も大きくなるように構成されていたが、例えば開口部１０４付近の排気圧力を高めて遠くまで排出させたい場合は、開口部１０４の流路断面積が他の箇所より小さくなるようにしてもよい。このように、開口部１０４の開口形状および流路断面積は、テールパイプ１００の使用目的や要求される効果に合わせて好適に変更してもよい。
【００３９】
上記説明した実施の形態においては、排気ガスの温度が比較的低い場合では整流板１０５が側面視において下方に向かって直線状に伸びた第１形態をとり、排気ガスの温度が比較的高い場合では整流板１０５が側面視において上方に折れ曲がった第２形態をとるとした。しかしながら、本開示はこれに限定されない。第２形態において整流板１０５が折れ曲がる方向は、側面視における上方でなくてもよく、側面視ではない方向から見た場合の他の方向でもよい。あるいは、整流板１０５は、排気ガスの温度が比較的低い場合では側面視において下方に折れ曲がった第３形態をとり、排気ガスの温度が比較的高い場合では側面視においてテールパイプ１００内における排気ガスの流れ方向を延長した方向に向かってほぼ直線状に伸びた第４形態をとるようにしてもよい。
【００４０】
すなわち、テールパイプ１００を含む排気系構造の好適な使用形態に合わせて、排気ガスの温度と、整流板１０５によって制御される排気ガスの排出方向との組み合わせは、自由に変化させることができる。
【００４１】
また、上記説明した実施の形態は、整流板１０５の変形部１０６を構成するバイメタルが第１形態と第２形態のうちの少なくともどちらかの形態では折れ曲がった形態をとるという前提のもと記載されている。しかしながら、例えば側面視において、ある角度へ向かって直線状の形態から、他の角度へ向かって直線状の他の形態へと、温度の変化に応じて遷移するバイメタルが存在する場合、変形部１０６としてこのようなバイメタルを使用してもよい。この場合、整流板１０５は、排気ガスの温度が比較的低い場合では側面視において下方に向かって直線状の形態をとり、排気ガスの温度が比較的高い場合では側面視において、末端部１０３における排気ガスの流れ方向の延長方向に向かって直線状の他の形態をとるように構成されればよい。
【００４２】
上記説明した実施の形態において、変形部１０６はバイメタルであった。しかしながら、本発明はこれに限定されず、変形部１０６は温度によって排気ガスの排出方向を変化させることができる構成であればよい。例えば、変形部１０６としては、バイメタルの代わりに、形状記憶合金を用いてもよい。
【００４３】
上記説明した実施の形態において、図３Ａおよび図３Ｂに示すように、整流板１０５の全体が変形部１０６で構成されているとしたが、本開示はこれに限定されず、例えば整流板１０５の一部のみが変形部１０６で構成されていてもよい。この場合、整流板１０５は、例えば平面状の整流部材が変形部１０６の先端部に取り付けられた構成を有していてもよい。このような構成によれば、排気ガスの温度によって変形部１０６が折れ曲がったり反り返ったりしても、平面状の整流部材によって排気ガスの流れが整流されやすく、より好適である。
【００４４】
上記説明した実施の形態においては、整流板１０５は、長方形状に形成された開口部１０４の長軸方向に沿った２辺に設けられているとしたが、本開示はこれに限定されない。整流板１０５は、例えば１辺のみに設けられていてもよいし、短軸方向に沿った２辺に設けられていてもよいし、４辺のすべてに設けられていてもよい。例えば開口部１０４が円形状、楕円形状、不定形状等に形成されている場合も、整流板１０５は開口部１０４におけるいずれかの位置に設けられればよい。この場合、整流板１０５が排気ガスを排出したい方向に向かって伸びるような形態をとるように構成されればよい。
【産業上の利用可能性】
【００４５】
本開示は、排気ガスを排出するテールパイプに有用である。
【符号の説明】
【００４６】
１００  テールパイプ
１０１  テールパイプ本体
１０２  連結部
１０３  末端部
１０４  開口部
１０５  整流板
１０６  変形部
１０７，１０８  金属板
２００  排気管 
【図１】
2019167916.tif 000003
【図２】
2019167916.tif 000004
【図３】
2019167916.tif 000005
【図４】
2019167916.tif 000006